(57)【要約】【課題】サンプストレーナまたは代替サンプストレーナにかかる破片を捕捉する負担を低減させる方法および装置を提供する。【解決手段】複数のチューブフレーム（１００）の上に破片を遮断するための穴のあいた上面（２００）が置かれた複数のフロアタイル（１０）を少なくとも含む、破片を遮断するためのフローリングシステムが提供される。複数のフロアタイルはそれぞれ、タイル内部への流体の流入ならびに破片の遮断および捕捉のための分散した吸込領域を形成する並べて配置された複数のチューブフレームを含むことができる。このフローリングシステムのタイルの内部はさらに、トランジションプレナム（２０）に至る流体流の分散流路を提供することができる。このフローリングシステムはさらに、タイルからの流体の流路を、ポンプ（８０）が吸込みをおこなっているサンプに導くためのトランジションプレナムを含むことができる。【選択図】図２
2006113066.tif 000002
【特許請求の範囲】
【請求項１】
原子力発電所内において破片を遮断するためのフローリングシステムであって、
分散された流体流入および破片収集のための吸込領域を形成する並べて配置された複数のチューブフレーム（１００）と前記複数のチューブフレームの上に置かれた穴のあいた上面（２００）とをそれぞれが含む、前記破片を遮断するための複数のフロアタイル（１０）と、
前記複数のフロアタイルに接続された、前記流体の流路をサンプ（８０）に導くためのトランジションプレナム（２０）と
を含むフローリングシステム。
【請求項２】
前記複数のチューブフレームがそれぞれ側壁窓（１１０）を含み、そのため前記側壁窓を通して流体が引き入れられ、フロアタイルの内部を通して前記サンプに配給される、請求項１記載のフローリングシステム。
【請求項３】
周縁のタイルの前記側壁窓が穴のあいた板（２１０）含む、請求項２記載のフローリングシステム。
【請求項４】
溶接、溝形コネクタ、ねじ、接着剤、はめ込み形コネクタ、ラッチおよびリベットのうちの少なくとも１つによって前記複数のフロアタイル（１０）が互いに接続された、請求項１記載のフローリングシステム。
【請求項５】
溶接、溝形コネクタ、ねじ、接着剤、はめ込み形コネクタ、ラッチおよびリベットのうちの少なくとも１つによって前記複数のフロアタイル（１０）が前記プレナム（２０）に接続された、請求項１記載のフローリングシステム。
【請求項６】
前記フロアタイルの周縁からの流体の平行流路が前記サンプに導かれるように、前記プレナムの１つの面がサンプストレーナ（９０）に接続された、請求項１記載のフローリングシステム。
【請求項７】
前記プレナムが、前記フロアタイルから前記流体を受け取り前記サンプの中へ導くための窓（７５）を含み、前記窓が、サンプストレーナに対するフランジ（２２）と前記サンプに対するフランジの間にある、請求項１記載のフローリングシステム。
【請求項８】
前記プレナムが１つまたは複数の検査口（２５）を含む、請求項１記載のフローリングシステム。
【発明の詳細な説明】
【技術分野】
【０００１】
本発明は一般に原子炉内のフローリングシステム（ｆｌｏｏｒｉｎｇ  ｓｙｓｔｅｍ）に関し、詳細には原子力発電所の格納容器サンプストレーナ系（ｃｏｎｔａｉｎｍｅｎｔ  ｓｕｍｐ  ｓｔｒａｉｎｅｒ  ｓｙｓｔｅｍ）で使用されるフロアタイル（ｆｌｏｏｒ  ｔｉｌｅ）およびトランジションプレナム（ｔｒａｎｓｉｔｉｏｎ  ｐｌｅｎｕｍ）に関する。
【背景技術】
【０００２】
沸騰水炉（ＢＷＲ）、加圧水炉（ＰＷＲ）のような原子炉は断熱された多数の配管系を有し、それらの配管系を利用して原子炉系全体に水を運んでいるため、ＢＷＲ原子力発電所、ＰＷＲ原子力発電所などにある原子炉圧力容器（ＲＰＶ）は一般に、設計基準の冷却材喪失事故（ＬＯＣＡ）後に原子炉格納容器の床に破片を散乱させる。原子力発電所の設計では、ＬＯＣＡを軽減するためのプラント系を含めることが求められる。ＬＯＣＡは、配管の断熱材、被覆材、コンクリート、他の固体などの大量の破片が、原子炉燃料を冷却し（冷却材注入）格納容器設備および構造を冷却する（格納容器スプレー）ためにポンプによって系内に送り込まれた原子炉冷却材および非常時系冷却材とともに格納容器の床に散乱する可能性がある力で高圧管が破裂したときに起こる。その結果、原子炉系および格納容器にポンプによって送り込まれた冷却材が、ＬＯＣＡによって発生した破片および他の表面化していない破片を、この冷却材とともに、格納容器サンプまで運搬する可能性がある。この格納容器サンプでは、非常用ポンプが格納容器サンプストレーナ（またはスクリーン）越しに吸込みをおこなっている。この非常用ポンプは、原子炉系の長期冷却のためのＬＯＣＡ後再循環モードにおいて、この流れを格納容器の外部に送って熱交換器に通し、これを原子炉および原子炉格納容器スプレー系に再び導入する。落下した破片は格納容器サンプストレーナ上に蓄積し、原子炉および格納容器に送達される冷却水の体積流量に影響を及ぼし、この影響によって炉心過熱にまで至る可能性がある。
【０００３】
上記の問題に対する従来の方法は、破片を除去し、同時に体積流量の水をＬＯＣＡ後の原子炉に送達するために、格納容器サンプにサンプストレーナを据え付ける方法である。サンプストレーナは一般に、流体が非常用炉心冷却系（ＥＣＣＳ）または原子炉格納容器スプレー系のポンプに引っ張られるときに、格納容器プールの中に存在する流体から破片または固体を除去するために使用される。サンプストレーナのところで破片が集められるので、サンプストレーナは系の劣化を防ぎ、ＬＯＣＡ後再循環モードの実施中に破片が原子炉および原子炉格納容器スプレー系全体に分布することを防ぐことができる。
【０００４】
しかし、サンプストレーナはその小さなサイズのため、大量の破片によって目詰まりしやすい。
【０００５】
さらに、サンプストレーナは一般に局所的な高い流入速度の吸込みを生み出す。局所的な高い流入速度は、ポンプの吸込管に最も近い部分のサンプストレーナで確立され、低い流入速度は、ポンプの吸込管からより遠い部分のサンプストレーナで確立される。高い流入速度は、より多くの固体破片を引き寄せてサンプストレーナと接触させる可能性があり、これによって高い流入速度に遭遇した部分のサンプストレーナがより高いヘッド損失を経験する可能性がある。サンプストレーナの吸込管に最も近い部分が破片を集めると、次に吸込管に近い部分のサンプストレーナに高い流入速度が確立され、これによってその部分が破片を集める。このプロセスが、サンプストレーナ全体がさまざまな量の破片を集め、その結果ストレーナの外表面に破片が蓄積するまで続く。ポンプによって吸い込まれる液体の中に固体が存在しないときでも、局所的な高い流入速度は有害でありえる。例えば、高い流入速度によって、層流よりも大きな圧力損失を生み出す傾向がある乱流が生じる可能性がある。このような圧力損失はポンプが使用可能な有効吸込ヘッドを低減させる。使用可能な有効吸込ヘッドが低下すると、ポンプキャビテーションが起こる可能性がある。同様に、局所的な高い流入速度は渦を引き起こす可能性がある。サンプストレーナが十分に沈められていないと、この渦によって、ポンプ性能をひどく低下させる可能性がある空気の取込みが生じる可能性がある。
【発明の開示】
【発明が解決しようとする課題】
【０００６】
したがって、本発明は、サンプストレーナの多数の吸込口と、発電所に現在存在する通常のフロアスペースの両方の役目を果たすことによって、既存のサンプストレーナまたは代替サンプストレーナにかかる破片を捕捉する負担を低減させる方法および装置を提供する。さらにこの方法および装置は、格納容器内へ落下した破片を分散させて、サンプストレーナ−ポンプ吸込領域に輸送される破片の量を低減させることができる。
【課題を解決するための手段】
【０００７】
例示的な一実施形態では、原子力発電所内において破片を遮断するためのフローリングシステムが、流体を分散させるための吸込領域を形成する並べて配置された複数のチューブフレームと複数のチューブフレームの上に置かれた穴のあいた上面とをそれぞれが含む、破片を遮断するための複数のフロアタイルと、上流側が複数のフロアタイルに、下流側が格納容器サンプのポンプ吸込口に接続された、流体の流路をサンプに導くためのトランジションプレナムとを含む。
【０００８】
例示的な他の実施形態では、複数のチューブフレームがそれぞれ側壁窓を含み、そのため側壁窓を通して流体が引き入れられ、複数の流路のいずれかによってサンプに配給される。
【０００９】
例示的な他の実施形態では、複数のチューブフレームが並べて接続されて正方形を形成する。
【００１０】
例示的な他の実施形態では、複数のチューブフレームが６×６インチである。
【００１１】
例示的な他の実施形態では、複数のそれぞれのチューブフレームの高さが５インチである。
【００１２】
例示的な他の実施形態では、溶接、溝形コネクタ、ねじ、接着剤、はめ込み形コネクタおよびリベットのうちの少なくとも１つによって複数のチューブフレームが互いに接続される。
【００１３】
例示的な他の実施形態では、複数のチューブフレームが鋼から製造される。
【００１４】
例示的な他の実施形態では、溶接、溝形コネクタ、ねじ、接着剤、はめ込み形コネクタおよびリベットのうちの少なくとも１つによって複数のチューブフレームが穴のあいた上面に接続される。
【００１５】
例示的な他の実施形態では、複数のチューブフレームおよび穴のあいた上面がダイカスト成形される。
【００１６】
例示的な他の実施形態では、穴のあいた上面が、開口からなる約４０％の開放領域を含む。
【００１７】
例示的な他の実施形態では、穴の開口の直径が約３／３２インチから１／４インチの範囲にある。
【００１８】
例示的な他の実施形態では、穴のあいた上面が穴あき鋼板である。
【００１９】
例示的な他の実施形態では、穴あき鋼板の厚さが約１／１６から１／８インチである。
【００２０】
例示的な他の実施形態では、溶接、溝形コネクタ、ねじ、接着剤、はめ込み形コネクタ、ラッチおよびリベットのうちの少なくとも１つによって複数のフロアタイルが互いに接続される。
【００２１】
例示的な他の実施形態では、溶接、溝形コネクタ、ねじ、接着剤、はめ込み形コネクタ、ラッチおよびリベットのうちの少なくとも１つによって複数のフロアタイルがプレナムに接続される。
【００２２】
例示的な他の実施形態では、プールからの流体の流路が、フロアタイルの周縁からフロアタイルを通してサンプへ流れる平行流路としてサンプに導かれるように、プレナムの１つの面がサンプストレーナに接続される。
【００２３】
例示的な他の実施形態では、プレナムが、フロアタイルから流体を受け取りサンプの中へ導くための複数の窓を含み、この窓が、サンプストレーナに対するフランジとサンプに対するフランジの間にある。
【００２４】
例示的な他の実施形態では、プレナムが１つまたは複数の検査口を含む。
【００２５】
本発明のこれらの特徴および利点ならびにその他の特徴および利点は、本発明に基づく装置および方法のさまざまな例示的な実施形態の以下の詳細な説明に記載されており、または該説明から明白である。
【００２６】
次に、本発明の例示的な実施形態を添付図面を参照して詳細に説明することによって本発明をより明らかにする。添付図面では、同様の要素が同様の参照符号によって表されており、図面は、単に例示を目的に示されたものであり、したがって本発明のこれらの例示的な実施形態を限定するものではない。
【発明を実施するための最良の形態】
【００２７】
これらの図は、本発明の例示的な実施形態を記述するために、本発明の例示的な実施形態の方法および系の大まかな特徴を示すことを意図したものであることに留意されたい。しかしこれらの図面は一定の尺度では描かれておらず、したがって所与の実施形態の特徴を正確には反映していない可能性があり、したがってこれらを、本発明の範囲に含まれる例示的な実施形態の値または特性の範囲を定義しまたは限定するものと解釈してはならない。例えば、フレームチューブおよび穴のあいたタイルの相対的な寸法およびサイズは、分かりやすくするために縮小されまたは誇張されている。これらのさまざまな図面の対応する同様の部分には同様の符号が使用されている。
【００２８】
本発明に基づくフローリングシステムは、サンプストレーナの多数の吸込口と、発電所に現在存在する通常のフロアスペースの両方の役目を果たすように設計することができる。さらにこのフローリングシステムは、格納容器内へ落下した集められた破片を分散させて、サンプストレーナ−ポンプ吸込領域に達する（または輸送される）破片を低減させることができる。
【００２９】
図１（Ａ）は、本発明の例示的な一実施形態に基づくフロアタイル破片遮断器の等角図である。フロアタイル破片遮断器１０は、複数のフレームチューブ１００および穴のあいた上面２００を含む。複数のフレームチューブ１００はそれぞれ、流体を引き入れその行き先へ配給するための側壁窓１１０を含む。側壁窓１１０は、フロアタイル上面２００の下の中空の内部を可能にし、流体がサンプポンプ８０（図２に示されている）に分散されるようにする。
【００３０】
図１（Ａ）に示すように、フレームチューブ１００は並べて配置されて正方形のフローリングを形成する。例示的な一実施形態として、フロアタイル１０は正方形をなす４つのフレームチューブ１００を含む。しかし、フレームチューブの寸法および特定の応用の要件によっては、５つ以上のフレームチューブを使用してフロアタイルを形成してもよいことを理解されたい。フローリングシステムの表面積が大きいほど、流体および破片が分散されるサンプ吸込領域も大きくなる。図１（Ｂ）に示すように、この例示的な実施形態のそれぞれのフレームチューブ１００の寸法は６×６インチ程度であり、全体で１２×１２インチのフローリングシステムを形成する。この正方形系の設計は、最も安定な床支持および最も容易な設置を提供することができるが、長方形のフローリングシステムなど他の形状を実現してもよいことを理解されたい。図１（Ｃ）に示すように、例示的な一実施形態ではフレームチューブ１００の高さが５インチである。しかしフローリングシステムの応用次第で他の高さを使用してもよいことを理解されたい。
【００３１】
フレームチューブ１００が互いに接続されるようにフレームチューブ１００を設計することができる。例示的な一実施形態として、フレームチューブ１００は溶接によって組み付けられる。溶接部はスポット溶接とし、またはフレームチューブの全縁に沿って配置することができる。しかし、例えば溝形コネクタ、ねじ、接着剤、はめ込み形コネクタ、ラッチ、リベットなど、溶接以外の接続を実施してもよいことを理解されたい。ただし接続はこれらに限定されるわけではない。さらに、複数のフレームチューブ１００をダイカスト成形して単一の部片を形成してもよいことを理解されたい。さらに、フレームチューブ１００を互いに組み付けた結果として、接続された２つのフレームチューブ１００間にリブ（図示せず）を形成させてもよい。このリブは、チューブフレームの有効スパンを低減させ、それによって荷重支持能力を増大させる。
【００３２】
フレームチューブ１００は、産業用床応用において通常存在する荷重（力）を収容する垂直および水平荷重経路を提供することができる。例示的な代替実施形態では、重荷重作業向けに本発明が、フレームチューブ１００を接続するラッチ（図示せず）を含む。すなわち、隣り合うタイルを分解するために溶接ではなくラッチを使用する。これによって、タイルを拾い集めて都合よく片隅に積み上げるための容易かつ迅速な分解が可能になる（例えば重荷重作業が完了した後にタイルを元の場所に戻しラッチで互いに接続する）。さらに、フレームチューブ１００のサイズおよび壁厚は、穴のあいた上面２００に対して許されるスパンを制限するように選択することができることを理解されたい。
【００３３】
さらに、この例示的な実施形態ではフレームチューブ１００が鋼などの金属からなる。しかし他の組成物、例えばプラスチックを利用してフレームチューブを製造してもよいことを理解されたい。したがって、本発明のフロアタイルとしてプラスチックを使用する場合には、例えばプラスチックの射出成形技法を使用することによって複数のフレームチューブ１００を１つに組み立てることを当業者は認知しよう。
【００３４】
フレームチューブ１００の上に置かれた上面２００は、サンプポンプへの多数の吸込口となり格納容器の床に落下した破片を捕捉するための穴２１０を含む。穴２１０のサイズは、応用に応じて直径約３／３２インチから約１／４インチの範囲とすることができる。穴２１０は、上面２００の表面全体の約４０％を開口するものとすることができる。穴２１０は、サンプ吸込領域を広げることで、サンプストレーナへの多数の吸込口の役目を果たすことができる。言い換えると、多数の吸込口は、広い領域に広がる流体流がサンプおよび／またはサンプストレーナへの経路を見つけることを可能にし、サンプストレーナ９０（図２に示されている）に課せられる破片処理要件を低減させる。さらに、穴２１０は、格納容器の床に落下した冷却材喪失事故（ＬＯＣＡ）によって発生した破片を捕捉するスクリーンの働きをすることができる。ＬＯＣＡ水位が上面２００よりも上昇すると、水がタイルの内部に入るときに穴２１０が破片を捕捉し、同時にサンプストレーナ９０のＬＯＣＡ破片処理要件が低減し、それによってサンプストレーナ設計が単純化し設備コストが低減する。これは、サンプストレーナ９０に存在する破片の低減を生み出し、これは使用可能なＮＰＳＨに対する影響を低減させる。
【００３５】
例示的な一実施形態として上面２００は穴あき鋼板からなる。しかし、プラスチック材料などの他の組成物を使用して製造してもよいことを理解されたい。ただしプラスチック材料に限定されるわけではない。この板の厚さは約１／１６から１／８インチとすることができる。上面２００はフレームチューブ１００に溶接することができる。しかし、以前にも述べたとおり、フレームチューブ１００への上面２００の取付けは、溶接の他、例えば溝形コネクタ、ねじ、接着剤、はめ込み形コネクタおよびリベットとすることができる。ただし取付け方法はこれらに限定されるわけではない。さらに、上面２００とフレームチューブ１００とをダイカスト成形または射出成形して単一の部片を形成してもよいことを理解されたい。
【００３６】
上面２００は、この面の下に中心を有する十字形のリブ（図示せず）を含むことができる。この十字形リブは、フレームチューブ１００の内縁と交差して構造支持および構造安定性を与える。さらにこの十字形リブは、それぞれの正方形フレームチューブに対して必要な有効スパンを低減させ、したがって荷重支持能力を増大させることができる。
【００３７】
例示的な代替実施形態ではさらに、フレームチューブ１００の外側の側壁に（先に論じたものと）同様の穴あき板が接続される。この側壁の穴あき板は完全に囲われた領域を生み出し、したがってフレームチューブ１００の内容積に破片が入ることを防ぐ。
【００３８】
図２は、格納容器サンプストレーナアセンブリに接続された本発明の例示的な一実施形態に基づくフローリングシステムの等角図である。格納容器サンプストレーナアセンブリ９０は一般に、ＰＷＲ原子力発電所応用において、既存のコンクリート内サンプ８０または他の再循環系の中に流体が引き込まれるときに格納容器プール内に存在する流体から固体を除去する目的に使用されるように設計される。したがって本発明のフローリングシステムは、流体から粒子状物質または破片を実質的に除去して、下流側の設備の劣化を低減させることができる。
【００３９】
このフローリングシステムは少なくとも、複数のフロアタイル１０およびトランジションプレナム２０を含む。図２に示すように、このフローリングシステムは、コンクリート製の床７０よりも低い位置にあるサンプ８０の上に据え付けられる。このフローリングシステム、具体的にはプレナム２０は、対合プレナムフランジ８５（図５に示されている）によって既存のサンプフランジ上に据え付けることができる。したがってフロアタイル１０は、プレナム２０を介して対合プレナムフランジ８５によりサンプフランジに接続され、サンプから遠く離れた位置まで広がることができる。個々のフロアタイル１０は、格納容器の床の上に床を覆って並べて、全面張りに至るまでの必要な広さに配置することができる。フロアタイル１０は、隣接するフロアタイルに接続されまたはラッチされるように設計することができることを理解されたい。例示的な一実施形態として、セルフインタロッキングギャップフィラー（すなわち表面の開口面積および穴のサイズがタイル上面の穴のあいた表面の開口面積に等しいかまたはそれよりも小さい）を利用してタイルを一体に接続する。これらのタイルをさらに、やはり個々のタイル上に存在する前述のセルフインタロッキングフィーチャまたはラッチによってトランジションプレナム２０に接続することができる。トランジションプレナム２０は、サンプポンプに至る冗長な（または部分的に冗長な）流路が提供され、それによって既存のまたは代替のサンプストレーナ９０にかかる破片を捕捉する負担が低減されるよう、フロアタイル１０およびサンプ８０に接続されるように設計することができる。トランジションプレナム２０は、対合プレナムフランジ８５（図５に示されている）によってサンプフランジに接続することができ、これによってタイル配置の周縁部（およびサンプと周縁部の間の多くのタイル位置）から流れを集めまたはサンプ８０に送る。プレナム２０は、検査および保守目的のためにプレナム２０の中へ入ることを可能にする複数の検査口２５を含むことができる。
【００４０】
既存の格納容器サンプの設計詳細によっては、ＰＷＲ格納容器の中に２つ以上のトランジションプレナム２０を配置してもよいことを理解されたい。
【００４１】
図３は、本発明の例示的な一実施形態に基づくフロアタイル破片遮断器およびプレナムの等角図である。図３に示されているとおり、分かりやすくするためにサンプストレーナ９０は除かれている。プレナム２０には、サンプストレーナ取付けフランジ２２が取り付けられている。この例示的な実施形態では取付けフランジ２２が円形の配置をとる。しかし、サンプストレーナに応じた他の形状を取付けフランジ２２がとってもよいことを理解されたい。さらに、例示的な一実施形態では、ボルトまたはスタッドおよびそれに対応したナットによって、サンプストレーナ取付けフランジ２２にプレナム２０が取り付けられる。
【００４２】
さらに、プレナム２０は、対合プレナムフランジ８５によって既存のサンプフランジの上に取り付けることによって、既存のコンクリート内サンプ８０の上に接続することができる。この例示的な実施形態では、サンプフランジ対合プレナムフランジ８５が、図示されていないサンプフランジの円形配置と一致した円形配置をとる。さらに、例示的な一実施形態では、ボルトまたはスタッドおよびそれに対応したナットによって、対合プレナムフランジ８５がプレナム２０に接続される。
【００４３】
ストレーナ取付けフランジ２２とサンプフランジ対合プレナムフランジ８５の間に、フロアタイル１０から流体を受け取りこの流体をサンプ８０に配給するためのプレナム窓７５を配置することができる。例示的な一実施形態ではプレナム２０が、全てのフロアタイル１０の中の流体を受け取るための８つのプレナム窓を有する。しかし、流体の体積流量および特定のプラント応用の詳細に応じて、別の数の窓を設計してもよいことを理解されたい。
【００４４】
図４は、フローリングシステムの例示的な一実施形態の一部分の等角図であり、流体の流路を説明するためにフロアタイル１０およびプレナム２０が除かれている。ＬＯＣＡの場合には、破片を含む大量の流体が、本発明のフローリングシステムの上の格納容器プールに集積する。ＬＯＣＡ破片を含む水は、フロアタイル１０の穴のあいた上面を通してタイルの内容積へ流入することができる。運転中のサンプポンプによってこの流体がサンプに吸い込まれるときに、タイル１０の穴のあいた上面２００に固体の破片が堆積することができる。それ以後、流れはタイル内部の流路を通ってタイルからタイルへと流れることができ、最終的に流体はプレナム２０を経由してサンプ８０に到達し、通常のＥＣＣＳ経路に入る。したがって、タイル１０内を走る分散したポンプ吸込流路は、タイル１０に複数の穴２１０があることによって、サンプ８０から遠くはなれた距離から流体流を引き寄せ、この流れがタイル１０の内部へ入るときに、浮遊した破片をタイルの上面２００に堆積させることができる。したがって、穴２１０はサンプ８０から遠く離れた破片を捕捉する多数の吸込口の役目を果たすことができる。破片捕捉の結果として流体はタイル１０上の１つの位置に限定されるようになるため、流路は新しい開いた経路にそれ、このシーケンスが、タイルの穴のあいた上面２００での破片の蓄積のためにいくつかのフロアタイル１０上の流れが事実上ゼロ（または重要でないレベル）になるまで繰り返される。これが発生する間に、この流れに従った破片は、フロアタイル１０の上でサンプ８０およびサンプストレーナ９０（はめ込まれる場合）から離れて分散する。その結果、サンプストレーナに到達することができる破片が低減し、それによってサンプストレーナに課せられる破片処理要件が低減される。
【００４５】
図５は、本発明の例示的な一実施形態に基づくフローリングシステムおよびプレナムの下面の等角図である。図５に示すように、プレナム２０は対合プレナムフランジ８５によってサンプフランジに接続される。プレナム２０はさらに、流体を受け取りこれをサンプ（図示せず）に送るための窓７５を含む。さらにこの例示的な実施形態には、２つの検査口２５を有するプレナム２０が示されている。しかし、３つ以上の検査口を設けることができることを理解されたい。さらに、窓７５から外側へ延びる支持リブ２８がプレナム２０の中に示されている。支持リブ２８は構造を支持するために提供されている。
【００４６】
格納容器の床のわずかな変動を調節するため、代替実施形態では、フローリングシステムが、チューブフレームの高さを調整するための高さ調整装置（図示せず）を含む。この高さ調整機能は、例えばチューブフレームのベースのそれぞれのコーナに形成されたねじが切られた穴の中に受け取られたねじが切られた丸いスタッド片（図示せず）によって容易にすることができる。しかし、上記以外の他の調整手段を実現してもよいことを理解されたい。例えば、タイル上面２００を通して作動されるコーナに取り付けられたくさび装置、および先に論じたねじ付きスタッド片に取り付けられた捕捉されたシムなどがある。ただしこれらに限定されるわけではない。
【００４７】
図６は、ＰＷＲ格納容器の中に据え付けられた本発明の例示的な一実施形態に基づく破片タイルフローリングシステムの等角図である。図６に示すように、中心が約６フィート離れた２つの格納容器サンプと、それぞれの格納容器サンプ（図示せず）の上に示されたトランジションプレナム２０とを有する設計が示されている。それぞれのプレナムは、モータ付きの能動サンプストレーナ９０に取り付けられている。それぞれの能動サンプストレーナは、背景に壁が示されている原子炉格納容器の周縁の格納容器柱に取り付けられた電気モータからのシャフトによって駆動される。プレナムはそれぞれ、格納容器の床７０の上のタイル１０のアレイに取り付けられている。図解の目的上、左側のプレナム２０には奥行きがタイル６枚分の２列のタイルがあり、２つのプレナム間には１列のタイルがあり、第２のプレナムの右側には３列のタイルがある。それぞれのプレナムの前面には全幅１６フィート（タイル１６枚分）の１列のタイルが示されている。合計４６枚のタイルが示されている。この例示的な配置は、破片の捕捉（遮断）に使用可能な受動ストレーナ領域を４６平方フィート分増大させる。より大きな破片遮断・捕捉能力を生み出すより大きなタイル領域を使用してもよい。
【００４８】
この例示的な実施形態では、サンプストレーナの設計が単純化され、サンプストレーナのサイズが低減される。それに応じてサンプストレーナの設計、製造および据付けコストが低減される。さらに、いくつかの応用では、本発明の存在によって、現在存在するサンプストレーナまたは据付けが計画されているサンプストレーナの必要性が除かれる可能性があることを理解されたい。
【００４９】
発電分野の好ましい実施形態を記載したが、本発明は、ヘッドスペースの多少の低減が許され、かつ破片を含んだ流体を取り扱うために分散した吸込みが必要または望ましい場合に適用可能であることを当業者は理解されたい。
【００５０】
さらに「流体」は、水、気体、空気または他の流体あるいはこれらの混合物を包含することがあることを理解されたい。
【００５１】
このように本発明を説明してきたが、さまざまな方法で本発明を変更できることは明らかである。なお、特許請求の範囲に記載された符号は、理解容易のためであってなんら発明の技術的範囲を実施例に限縮するものではない。
【図面の簡単な説明】
【００５２】
【図１】例示的な寸法が示された本発明の例示的な一実施形態に基づくフロアタイルの等角図である。
【図２】格納容器サンプストレーナアセンブリに接続された本発明の例示的な一実施形態に基づくフローリングシステムの等角図である。
【図３】本発明の例示的な一実施形態に基づくフロアタイルおよびプレナムの等角図である。
【図４】タイルが取り外された本発明の例示的な一実施形態に基づくフローリングシステムプレナムの等角図である。
【図５】本発明の例示的な一実施形態に基づくフローリングシステムおよびプレナムの下面の等角図である。
【図６】ＰＷＲ格納容器の中に据え付けられた本発明の例示的な一実施形態に基づくフローリングシステムの等角図である。
【符号の説明】
【００５３】
１０  フロアタイル破片遮断器
２０  トランジションプレナム
２２  サンプストレーナ取付けフランジ
２５  検査口
２８  支持リブ
７０  床
７５  プレナム窓
８０  サンプ
８５  サンプフランジ対合プレナムフランジ
９０  サンプストレーナ
１００  フレームチューブ
１１０  側壁窓
２００  穴のあいた上面
２１０  穴
【図１】
2006113066.tif 000003
【図２】
2006113066.tif 000004
【図３】
2006113066.tif 000005
【図４】
2006113066.tif 000006
【図５】
2006113066.tif 000007
【図６】
2006113066.tif 000008